(57)【要約】  連続的に配置され、けん引部材（１８）により相互に連結されている複数の支持部材（８）を摺動可能に収容するため、互いに向かい合い、間にその外周縁（７）の長さ少なくとも１周分に対応するスペースがあけられている、上部層（５）と底部層（４）とで構成された中敷（２；２００）を備えた、フィッティングを調整可能な履物（１；１００）で、けん引部材の張りにより、前述の支持部材（８）を望みの長さだけ、前述の上部層（５）及び底部層（４）から径方向にそって外側に張り出させることができる、履物。【選択図】図２
2008534042.tif 000002
【特許請求の範囲】
【請求項１】
履物（１；１００）のフィッティングを調整するための装置において、
足の靴底の形状を少なくとも部分的に複製している中敷（２；２００）と、
前記中敷（２；２００）に摺動可能に結合されており、履物（１；１００）のつま革（３）に結合可能で、足の靴底の形状を複製している前記中敷（２；２００）の周辺部（７）の少なくとも１周分に相当する長さのある、伸張けん引部材（１８；１８０）と、
前述の中敷（２；２００）に対する外側位置を調整するために、前記けん引部材（１８；１８０）の張りの度合いを調整するための、後者の張りの度合いを変える傾向がある調整手段（１９；１９０；４０；４０；４１）と、
を備えている装置。
【請求項２】
請求項１記載の装置において、前記けん引部材（１８；１８０）を摺動可能に収容する傾向のある、座部（１７０）を有する、前記中敷（２；２００）を備えた装置。
【請求項３】
請求項１または２に記載の装置において、上部層（５）、底部層（６）、及び前記上部層（５）と底部層（６）の間に挿入されるスペーサ（９；９０）とを有する、前記中敷（２；２００）を備えた装置。
【請求項４】
請求項３に記載の装置において、前記けん引部材（１８；１８０）が前記スペーサ（９；９０）へと摺動可能に結合される装置。
【請求項５】
請求項１または２に記載の装置において、前記座部（１７０）の範囲を規定するため、前記スペーサの中心に、前記上部層（５）及び底部層（６）より狭い幅を、なんらかの方法で備えた装置。
【請求項６】
請求項１ないし５のいずれか１つに記載の装置において、前記けん引部材（１８；１８０）が複数の支持部材（８；８０）へと拘束されている装置。
【請求項７】
請求項６に記載の装置において、前記支持部材（８；８０）が前記けん引部材（１８；１８０）を受けるための座部（１７）を備えている装置。
【請求項８】
請求項７に記載の装置において、前記部材（８）の前記座部（１７）が基本的に長手方向の溝の形式をとっている装置。
【請求項９】
請求項７に記載の装置において、前記支持部材（８０）が、前記けん引部材（１８０）を受ける傾向がある貫通した座部を備えた、環状または管状の構成となっている装置。
【請求項１０】
請求項１ないし９のいずれか１つに記載の装置において、前記調整手段に、履き手が履物（１；１００）の外部から動作可能な、少なくとも１つのねじ付き部材（１９；１９０）が備えられている装置。
【請求項１１】
請求項１０に記載の装置において、前記ねじ付き部材（１９；１９０）が履物（１；１００）のヒール部で動作可能であるような全体的配置を備えた装置。
【請求項１２】
履物（１；１００）の長さを調整するための装置において、
ヒール（２３）と、
履物自体の中敷（２；２００）に対して固定可能であり、履物（１；１００）の長手方向において前記ヒール（２３）に摺動可能に係合されている、あるいは結合可能な連結部材（２９）と、
前記ヒール（２３）と連結部材（２９）の相対的な位置を調整するための、基本的に履物の長手方向における複数の関連した位置で後者を総合に固定する傾向のある、調整手段（３１；３２）と、
を備えた装置。
【請求項１３】
請求項１２に記載の装置において、前記調整手段（３１；３２）が、前記ヒール（２３）と連結部材（２９）とを結合した形状を有する装置。
【請求項１４】
請求項１３に記載の装置において、前記調整手段（３１；３２）が、前記ヒール（２３）と連結部材（２９）にそれぞれ連結された１対のラック（３１、３２）を備えた装置。
【請求項１５】
請求項１２ないし１４のいずれか１つに記載の装置において、前記ヒール（２３）と連結部材（２９）とを結合した形状を有し、前記の結合が履物の靴底（４）に対して実質上直角の方向への相対的移動を防止する傾向がある、装置。
【請求項１６】
請求項１ないし１１のいずれか１つに記載のフィッティングを調整するための装置、および／または、請求項１２ないし１５のいずれか１つに記載の長さを調整するための装置、を備えた履物（１；１００）。
【請求項１７】
請求項１６に記載の履物（１；１００）において、互いに対して互いに移動可能な第１の部分（２１）と第２の部分（２２）とを同様に有するつま革（３）を備えた履物。
【請求項１８】
請求項１２ないし１５のいずれか１つに従属している、請求項１７に記載の履物（１；１００）において、つま革（３）の前記部分（２１、２２）のうち１つ（２２）が前記摺動ヒール（２３）と一体化して移動可能な履物。
【請求項１９】
請求項１ないし１１のいずれか１つに従属している、請求項１７に記載の履物（１；１００）において、つま革（３）の前記部分（２１、２２）のうち１つ（２１）が前記けん引部材（１８；１８０）と一体化して移動可能な履物。
【請求項２０】
請求項１ないし１１のいずれか１つに従属している、請求項１７に記載の履物（１；１００）において、つま革（３）の前記部分（２１、２２）のうち１つ（２１）が前記中敷（２；２００）に固定され、また前記けん引部材（１８；１８０）に部分的に巻き付けられている履物。
【請求項２１】
請求項１７ないし２０のいずれか１つに記載の履物（１；１００）において、つま革（３）の前記の第１部分（２１）及び第２部分（２２）が互いに対して摺動可能な履物。
【請求項２２】
請求項２１に記載の履物（１；１００）において、つま革（３）の前記の第１部分（２１）及び第２部分（２２）のうち一方（２２）が、前記部分の他方（２１）の少なくとも一部がその内部において摺動可能に受けられているハウジング（２５）の範囲を規定する履物。
【請求項２３】
請求項１７ないし２０のいずれか１つに記載の履物（１；１００）において、つま革（３）の前記の第１及び第２の部分が、それぞれつま革（３）の前方部分（２１）と後方部分（２２）である履物。
【請求項２４】
請求項１７ないし２３のいずれか１つに記載の履物（１；１００）において、つま革（３）の前記の第１（２１）及び第２（２２）の部分が、弾性手段（２７）により連結されている履物。
【請求項２５】
請求項２４に記載の履物（１；１００）において、前記弾性手段（２７）が履物のヒール部に配置されている履物。
【請求項２６】
請求項２４または２５に記載の履物（１；１００）において、前記弾性手段が弾性帯（２７）を備えている履物。
【請求項２７】
請求項１６ないし２６のいずれか１つに記載の履物（１；１００）において、スポーツ用の履物である履物。
【発明の詳細な説明】
【技術分野】
【０００１】
本発明は、フィッティングを調整可能な履物、特に寸法を調整可能な靴に関する。
【背景技術】
【０００２】
今日、履物のデザインはそれぞれ、足の寸法が極めて変化に富んだ数多くの履き手に履いてもらうため、多くの場合数字で識別される一連の標準的なサイズで生産されるのが普通である。特に、履物のデザインが同じでも、サイズが異なれば靴底と中敷の長さも幅も異なることが普通であるため、あるサイズを超えると、前述の靴底に固定されたつま革の寸法も異なってくる。
【０００３】
通常、サイズは１または２分の１刻みで変わる。
【発明の開示】
【発明が解決しようとする課題】
【０００４】
こうした既存のタイプの履物の主な難点は、同じデザインで様々なサイズを生産するのにさまざまな異なる付属品が必要とされることにあり、このために履物の生産コストが上昇する。
【０００５】
さらに、別の難点は、こうした履物を市場で販売する業者は、さまざまな顧客の要求に応えるために、ぞれぞれのデザインについて複数のサイズの在庫をもたなければならないことである；これは業者に、在庫コストが高くつく結果をもたらし、また一部のサイズが売れ残る一方で、別のサイズは品切れになることにより、想定上の購入者の要求を満たすことができないという付加的なリスクも伴う。
【０００６】
前述の既存のタイプに原因を帰することができるさらなる難点は、これにはあらゆる足の寸法が含まれるわけではなく、また各サイズごとに寸法が予備設定されたているため、身体上特殊な必要を伴う履き手は採寸して履物を作らせるしかない、という事実に関連するものである。
【０００７】
そのため、本発明により設定、解決される技術上の問題は、上記に提示したような難点を克服することである。
【０００８】
上記で述べた問題の範囲の中で、本発明により解決される別の重要な技術上の問題は、通常の２分の１サイズ以外の数値の場合でも、履き手の足の寸法に合わせられる履物を実現することである。
【０００９】
本発明により解決されるさらなる問題は、履き手の足の形状に最適に適合させることで、そのフィッティングに関する快適さを向上させることである。
【００１０】
本発明により解決される別の問題は、履き手が、靴メーカーの介入や専用の特殊なツールに頼る必要なしに、自分の固有の身体構造上の必要に合わせて履物を自分で手早く適合できるようにすることである。
【００１１】
最後にこれも大事なことだが、本発明により解決される別の技術上の問題は、構造的に単純で製造コストが妥当な発明を考案することである。
【課題を解決するための手段】
【００１２】
前述の問題は、請求項１にしたがった履物のフィッティングを調整するための装置、請求項１２にしたがった長さを調整するための装置、及び請求項１７にしたがった履物により解決される。本発明の最良の特徴は、その従属クレームに提示されている。
【００１３】
本文脈上、“履物”という用語は、その最も広い意味に解釈されることとし、昼夜ともに含めた家庭用ならびにスポーツタイプ用の両方の、あらゆる種類の靴、サンダル、スリッパ、ブーツ、アンクルブーツその他を含むこととする。
【００１４】
本発明は、幾つかの関連する利点を提供する。主な利点は、靴を製作するのに採寸の必要なしで、さまざまな足のフィッティングに容易に適合できるよう、履物の調整が可能であることにある。
【００１５】
さらなる利点は、本発明にしたがって本装置により提供される調整は、いかなるタイプの履物でも容易に利用し得るため、いずれにせよ履物の製造コストを妥当なレベルに維持することができることに関連する。
【００１６】
本発明のその他の利点、特徴、及び動作形態は、無制限の例を通じて提示される、そのいつくかの実施例に関する以下の詳細な説明により明らかになるであろう。
【００１７】
以下の実施例では、特定の例と関連付けて提示した個々の特徴を、他の実施例において存在する、その他の異なる特徴と実際に置き換えることができる。
【発明を実施するための最良の形態】
【００１８】
まず図１及び２を参照して、本発明の第１の実施例にしたがった履物について、１によりおおまかに示す。
【００１９】
以降で詳述するが、履物１は、フィッティングを調整可能で、その寸法は長さと幅の両方について調整可能であり、さらに概ね、履物の形状特性を変えることができるようにすることで、後者を足に適合させることができる。
【００２０】
履物１は、つま革３と靴底４を備えている。明確にするため、履物１の通常の長手方向は、図４に描かれている軸Ａにより識別される。
【００２１】
靴底４は、中敷と結合されており、概ね２により示され、図３及び４にさらに詳述されている。
【００２２】
後者２つの図にしたがい、中敷２は、上部層５と底部層６とで構成され、両者は基本的に足の靴底の輪郭を複製したもので、可とう性のあるプラスチック等で出来ている。
【００２３】
上部層５と底部層６は、その中央部分で、それらに対して長手方向に配置されている成形されたスペーシング部材あるいはスペーサ９により、相互連結されている。上部層５と底部層６は、スペーサ９に、接着固定されている。
【００２４】
スペーサ９は、基本的に積層構造をもち、使用時には履き手のつま先の下になる区域内において上部層５と底部層６の周縁７の構成を部分的にたどっている前方区域１０を備えている。スペーサ９はさらに、使用時には履き手のヒールの下になる区域内において上部層５と底部層６の外周縁７の構成を部分的にたどっている後方区域１１も備えている。前方区域１０と後方区域１１は、中央区域１２により相互連結されており、足の内側の外側部１３と足の外側の外側部１４とで、座部１７０のそれぞれの範囲を規定するため、中央区域１２は、なんらかの方法で、上部層５と底部層６よりも幅が都合よく狭くなっている。
【００２５】
座部１７０は、異なる実施例にしたがって製作することができることも明らかである。例えば、中敷は、成型により全体を製作することができ、これにより、適当な型を製作することで直接、前述の層と座部との範囲を規定することができる。
【００２６】
さらに、別の代替案として、中敷の製作時に、革等の可とう性のある材料でできた第１の中央部分と、前述の部分よりも概ね強度の高いプラスチック材料でできた第２の中央部分とを使用し、これにおいて座部１７０の範囲を規定することができる。さらに、周辺部分には、列をなすように切り込みを配置して、その可とう性を増している。こうすることで、周辺部分は、最初は直線的な形状で製作し、その後、中央部分の周辺にそって配置されるように折り曲げることができる。
【００２７】
この後者の実施例は、その加工時にはるかに複雑さを要する周辺部分を単一の形式で製作した後、逆に革で、製作が容易な、さまざまな寸法の中央部分で使用することができるため、特に利点が大きいことを証明している。
【００２８】
ここでも図３及び４を参照すると、前方区域１０では、その周縁に、なんらかの方法で、隣接する外周縁７の構成をたどるアーチ形の輪郭をもつ第２の座部１５がうまく配置される。付属図面に示すように、第２の座部１５は前方区域１０の上面上にうまく配置される第１の溝により範囲を規定することもできる。あるいは、第２の座部１５は、少なくとも１つの（貫通）穴−付属図面には図示していないが−により構成することもできる。
【００２９】
スペーサ９の後方区域１１には、中央区域１２をはさんだ反対側にうまく配置された、互いに平行で長手方向軸に沿って配置される２つの第３の座部がある。付属図面に示すように、第３の座部１６は、後方区域１１の上面上にうまく配置される２つの第２の溝によりそれぞれ範囲を規定することができる。あるいは、第３の座部１６は、後方区域１１に対して長手方向となる２つの第２の（貫通）穴−付属図面には示されていないが−により構成することもできる。
【００３０】
上記の通り、層５と６は互いに向かい合い、間に中央区域１２をはさんでスペースがあけられている。概ねこうしたスペースは、座部１７０の内部に、足の靴底を支持するように受け止める傾向がある複数の移動可能な支持部材８を摺動可能に収容するため、少なくとも、層５及び６の周縁７の長さまたは断面１つ分の間隔となっている。これらの後者の部材は、スペーサ９の前方区域１０と後方区域１１の間に、中敷２の前述の周縁７に沿ってちょうど連続的に配置されている。
【００３１】
都合の良いことに、支持部材８は、なんらかの方法で、基本的に矩形の構成を備えており、その側面が、上部層５と底部層６の隣接する周縁７の構成をたどるように形作られており、またそのコーナー部には丸味がつけられて、支持部材８を相互的に移動させやすいよう、また後者を、底部層６と上部層５により決定される平面上で、スペーサ９の前方区域１０と後方区域１１に対して移動させやすいようになっている。
【００３２】
第３の座部１７は、前述の支持部材８の全長に沿ったそれについては、前述の支持部材８に対して長手方向に、うまく配置される。
【００３３】
図に示す例のように、この第３の座部１７は、支持部材８上面にくる場合もあれば、あるいはこれは、例えば、支持部材８に対して長手方向及び内部方向にくる貫通穴−図示していないが−により構成される場合もある。
【００３４】
支持部材８は、本実施例では例えば金属製のロープで構成されるけん引部材１８により相互に連結され、支持部材８の第３の座部１７でと、スペーサ９の前方区域１０の第１の座部１５で、例えば接着または圧着により固定される。ロープ１８の長手方向の２つの端部は、スペーサ９の後方区域１１にある第２の座部１６に摺動可能に結合され、ロープ１８自体の張りの度合いを調整するための調整手段に接続されている。本実施例では、この調整手段は、その固有のねじ付きシャンクの位置でロープ１８の端部に固定されていて、例えばスペーサ９の後方区域１１内にあるメスねじ付き空洞２０にねじ込むことができる、調整ねじ１９で構成されており、後者は図５に概略が示されている。
【００３５】
以降はより良く理解できるであろうが、けん引部材１８の張りの度合いを調整することにより、支持部材８を望ましい長さだけ、上部層５及び底部層６に対して周辺方向（径方向）にそって外側に出したり内側に引込むことができる。
【００３６】
図６に示すように、つま革３は、その固有の底周縁で、支持部材８、１つ分またはそれ以上下に、少なくとも部分的に固定されている。
【００３７】
図１０及び１１にも示すように、つま革３は、以降で詳述する弾性手段２７を通じて相互に連結されている、前方部分２１と後方部分２２により構成される。
【００３８】
前方部分２１は、使用時、履き手の足部のつま先から甲の周囲までを覆う。前方部分２１は、その底周縁で、接着または縫製により支持部材８の底部面へと固定され、さらにスペーサ９の前方区域１０にも固定されている。
【００３９】
基本的に平行をなす２つのアーム２６が前述の弾性手段２７により、つま革３の後方部分２２と連係した状態で、つま革３の前方部分２１は、スペーサ９の前方区域１０に向かい合って広がっている。
【００４０】
つま革３の後方部分２２は、使用時、履き手の踵と足首を覆い、これは内部でヒール２３と結合されており、後者は摺動可能に中敷２へと拘束されるが、これについては後述する。
【００４１】
後方部分２２は、都合良く、典型的には革製または布製で基本的に“Ｕ”字形に折り畳まれた薄層２４で構成されており、ハウジング２５の範囲を規定している。この折り畳まれた薄層は当然のことながら、なんらかの方法で、使用時に履き手のヒールから張り出している区域内において上部層５及び底部層６の外周縁７に沿った輪郭を有する。
【００４２】
つま革３の前方部分２１のアーム２６は、ハウジング２５の内部で摺動可能に受け止められ、ヒールに配置されている前述の弾性手段２７により相互に連結され、本実施例では、ハウジング２５の内部で摺動可能に受け止められる弾性ストラップにより構成され、また前述のアーム２６で固定されている。
【００４３】
ストラップ２７の弾性による変形可能度と本文書に記述する配置により、アーム２６は、ハウジング２５から望む長さだけ突き出すことができると同時に、つま革３の前方部分２１と後方部分２２は常に互いに拘束状態に保たれる。
【００４４】
つま革３の後方部分２２は、その底周縁を後者の側面２８に、縫製または等により、ヒール２３に固定されている。
【００４５】
つま革３の後方部分２２には、その上の調整ねじ１９の位置に、２つの貫通開口部３５を備えており、履き手が前述のねじに手が届き、ロープ１８の張りの度合いを調整できるようになっている。
【００４６】
ヒール２３は、例えば図７、８及び９に図示されている接続手段により、中敷２の底部層６へと摺動可能に拘束されている。この接続手段は、本実施例では、ブロック型の部材２９を含んでおり、これは、その断面が基本的に台形または鳩尾型の構成を備え、ねじあるいは接着等によりこの底部層６に固定されている。ブロック２９は、空洞３０内で摺動可能で、ヒール２３内部に配置されており、ヒール２３を自らに対して拘束するため前述のブロック３２に対して部分的にカウンターシェイプされている。当然のことながら、異なる実施例により、ヒールと中敷連結部材とを異なる種類の形状連結にすることもできる。
【００４７】
さらに、図面に図示した実施例でのように、ブロック２９の底部面に固定された第１のラック３１と、第１のものと係合可能でヒール２３の底部の開放可能な開口部３４の内部面３３に固定された第２のラック３２との間の形状結合により構成し得る、ヒール２３と中敷２の相対位置を調整するための調整手段が備えられている。
【００４８】
前述の開放可能部分３４は、ヒール２３の固定部分３６へと蝶番で取付けられており、開放可能部分３４は、空洞３０の蓋の役割を果たしており、前述の空洞３０を塞ぐため、そのスナップ固定用に、既知の手段が備えられている。
【００４９】
その後、靴底４が、ヒール２３による影響を受けない中敷２の区域内で、接着または縫製等により、中敷２の底部層６へと固定される。
【００５０】
以降で、本書に導入した図面を参照しながら、履物１の働きについて図解する。
【００５１】
まず最初に、中敷２に対してヒール２３を摺動可能な配置のため、履物１の長さ、すなわちサイズの調整が可能になる。特に、ヒール２３の開放可能部分３４を開けると、第１のラック３１と第２のラック３２との係合が解除されるため、ヒール２３と、これに不可欠のつま革３の第２の部分２２とを中敷２に対して摺動させることができ、これにより、この第２の部分２２を第１の部分２１から望みの距離に配置することができる。望みの位置になったら、開放可能部分３４を閉鎖して第１のラック３１と第２のラック３２を元通り係合すると、後方部分２２がつま革の前方部分２１を塞ぎ、履物１が望みの長さになる。
【００５２】
さらに、支持部材８とこれに結合されている構成部品により遂行される関連手段に働きかけることにより、履物１のフィッティングあるいは外側部の剛性の調整が可能となる。特に、調整ねじ１９を作動させることにより、ロープ１８の張りの度合いを調整することができ、これにより支持部材８の可動性を増減し、これを望みの長さだけ中敷２から周辺へと突き出させることができる。あしをつま革３に入れると、前者は後者に圧力をかけるため、後者は変形して、それが固定されている支持部材８、１つ分かそれ以上、中敷２の外側へと引張られる；こうしてつま革３と中敷２は履き手の足の形状及び寸法へと適合され、履き手の足のフィッティングの快適さが増す。
【００５３】
従って、つま革の一部を支持部材に固定するおかげで、本発明の履物が、履き手の足の形状に合わせて最適に調整することができ、普通であれば採寸して靴を製作させる必要があるような特異な足の形状の持ち主にも履いてもらうことができることは、高く評価されることになるであろう。
【００５４】
さらに、前述した長さとフィッティング／厳密さの調整はまったく独立しており、またそれぞれを個別に行うこともできることは、高く評価されることになるであろう。
【００５５】
記述した履物は、長さと同時に幅についてもその寸法を調整することができるため、フィッティングを総合的に調整することができ、それにより、既知の履物の通常のサイズ、複数分を包含する。
【００５６】
本発明の履物の生産コストは中程度にとどまっており、これはもっぱら、生産および／または組立てが容易な構成部品のおかげである。
【００５７】
本発明は、実際のスポーツの練習及び日常的な使用のために異なる剛性が必要とされるスポーツシューズの製作にも最適であることは、高く評価されることになるであろう。この場合には、履物のフィッティングの調整に関する選択度により、さまざまな剛性を得るための最適の選択がもたらされる。
【００５８】
本発明は、ここに記述したものに代わる幾つかの実施例を受け入れる余地があり、以降で、その幾つかについて、ここに検討する第１の実施例と異なっている独自の側面について簡単に説明する。
【００５９】
１つの変形例にしたがい、つま革ではなく中敷に結合して、１つまたはそれ以上のストラップおよび／またはリボンおよび／またはロープの端部を、中敷の支持部材の下の、足の内側の外側部と足の外側の外側部でそれぞれ固定した履物を製作することもできる。このストラップおよび／またはリボンおよび／またはロープは、使用時、履き手の足を少なくとも部分的に包み、これを中敷へと拘束することにより、足の形状に最適に適合するよう、履き手が寸法を連続的に変えることができるスリッパやサンダル等を製作することもできる。
【００６０】
さらに、上述したように、この履物は、スキーやスノーボード用ブーツ、サッカー、バイク、登山、スケート用の靴等、スポーツ用の履物の製作にうまく利用することもできる。
【００６１】
当然のことだが、使用する材料も、この履物の個々の構成部品を構成するスポーツも、特定の必要にしたがって選択することができる。
【００６２】
本発明のさらなる実施例は、図１２から２１に示してある。以降で、こうしたさらなる実施例の、ここに図解した実施例やその変形とは異なっている独自の側面について、説明することにしよう。さらに、よくに対する構成部品は、ここに採用したものと同じ参照番号で示すことにする。
【００６３】
前述の図にしたがい、本例においても、一般に１００で示される履物は、上部層５、底部層６および、前述の層の間に差し込まれる、ここでは９０で示したスペーサとにより構成される、ここでは２００で示した中敷を含んでいる。前述のスペーサ９０は、足の内側部１３と足の外側部１４で、また図１３にしたがって、上部層５、底部層６及びスペーサ９０により構成される組立品における座部１７０の範囲を規定するため、長手方向の２つの周辺部は別として、基本的に足の靴底の形状を複製している。座部１７０はその後、図１２に図示されているさらなる１組の座部１７１へと続き、部材９０の上面へ、そして凹所１６０へと溝の形で展開されている。前述の座部１７０と１７１は、可とう性の伸張部材の形式で、本例では１８０により示されているけん引部材を摺動可能に受けとめ、この部材１８０の上に環状または管状の支持部材８０が摺動可能に挿入される。さらに、けん引部材１８０は、その前方端で、中敷２００に、より正確にいえばスペーサ９０に固定されている。
【００６４】
部材１８０の長手方向の両端は、スペーサ９０の長手方向の凹所１６０で摺動可能なブロック４０の内部で固定されている。このブロック固定は、従来のやり方にしたがって、前述の両端をブロックの穴に差し込み、ねじ付きピン４１により所定の位置に固定することにより行われる。
【００６５】
ブロック４０は、ブロック自体の内部のそのシャンク端でブロック固定されているねじ１９０により動作可能で、また凹所１６０とスペーサ９０の外周後方縁との間に伸びているねじ付き座部１６１の内部で摺動可能である。
【００６６】
この全体的配置は、ねじ１９０が履物１００後部のヒール部で動作可能というものである。ねじ１９０を回すことにより、ブロック４０、そしてその結果、これと一体化しているけん引部材１８０が凹所１６０の中で長手方向に、すなわち中敷２００に対して摺動し、部材８０に沿った、図１４に示すように、座部１７０に対するけん引部材１８０の位置が決定されることが、理解できるであろう。言い換えれば、ブロック４０が凹所１６０へと長手方向に調整された後、けん引部材１８０は、中敷２００のそれぞれ内側または外側に向かって座部１７０の中へと摺動して移動し、これにより後者に対する座部１７０の外側位置が調整される。
【００６７】
本実施例では、例えば中敷２００の上部層５の上にくる適切な切り込み等により、ブロック４０にアクセスすることができるようにして、履物のフィッティングあるいは厳密さについて２倍のレベルでの調整可能性を得ることができることは、高く評価されるであろう。実際、第１の例では、例えば図１５に示すように、その長手方向の両端を、関連する穴へと／穴から、ブロックの中へと突き抜けさせたり、またオプションとして、突き出させる深さを調整することにより、部材１８０の初期的な張りのレベルを調整することが可能である。
【００６８】
さらに、日常的にはねじ１９０を作動することにより、前述の張りをさらに調整することが可能である。
【００６９】
第１の例と比較した場合のこの第２の実施例のさらなる違いは、つま革３の前方部分２１をけん引部材に固定する方法にある。実際、図１６に示すように、前述の部分２１は、支持部材８０へと直接固定される代わりに、その上に部分的に巻き付けられ、特にその後部が折り畳まれた後、中敷２００の底部層６の底部面上の、２１０により示される部分へと固定される。そのため、全体的配置は、図１８に示すように、部材１８０の張りの度合いにしたがって、つま革は、程度の多少はあっても、座部１７０の内部へと引込まれる。当然、この座部１７０は、前述したやり方でつま革２１を受けることができるよう、また部材１８０の横方向の動きも充分可能となるよう、適切な寸法に調整されることになる。
【００７０】
そのため、この特徴のため、大量のつま革を履物に与えることにより、フィッティングの調整が可能になり、その結果、つま革はその固有の性質上、柔らかいか、あるいはいずれにせよ可とう性があるため、履き手の特定の必要にしたがって、足を靴の形状の特性に適合させることができる。
【００７１】
本実施例では、履物は靴底４に固定された従来の細革４５を装備しているため、座部１７０及びけん引部材１８０を修理することができる。
【００７２】
異なる実施例にしたがい、けん引部材１８０を、それに結合されている支持部材８０に結合しないようにすることもできる。一方、本例では、支持部材は、けん引部材の動きにより、フィッティングの調整時、つま革３の摺動を助長する独自の機能を備えており、つま革３自体の摩耗を防ぐことができる。したがって、支持部材８０を、その代わりに、前述の移動の際に摩擦を制限する傾向がある、プラスチック材料製の単一のさや−図面には図示されていないが−に置き換えることもできる。
【００７３】
あるさまざまな機能を果たすためのさまざまな手段は、図示した実施例において確かに共存するはずであるだけでなく、図示していなくとも幾つかの実施例の中に本質的に存在していることがあり得ることが、了解されるであろう。
【００７４】
本文書では、本発明について、その最良の実施形態について記述してきた。この発明の要点に帰することができ、全てが請求項の保護の範囲に含まれる、その他の実施例があり得ることが理解されるであろう。
【図面の簡単な説明】
【００７５】
付属図面の図に対して参照付けを行うことにし、これにおいて：
【図１】本発明の第１の実施例にしたがった、履物の部分側断面図を示す。
【図２】図１の履物の部分側断面図を示す。
【図３】図１の履物のいくつかの構成部品の分解図を示す。
【図４】明確さのため、いくつかの構成部品を省略した、図１の履物の部分平面図を示す。
【図５】明確さのため、いくつかの構成部品を省略した、図１の履物の別の部分平面図を示す。
【図６】図４のＶＩ−ＶＩ平面に沿った、図１の履物の断面図を示す。
【図７】開放構成と閉鎖構成のそれぞれで、図１の履物のヒールの底面図をそれぞれ示す。
【図８】開放構成と閉鎖構成のそれぞれで、図１の履物のヒールの底面図をそれぞれ示す。
【図９】図７のＩＸ−ＩＸ平面に沿った、図１の履物の断面図を示す。
【図１０】図１の履物の詳細の部分背面斜視図を示す。
【図１１】図１の履物の詳細の別の部分背面斜視図を示す。
【図１２】明確さのため、いくつかの構成部品を省略した、本発明の第２の実施例にしたがった履物の分解図を示す。
【図１３】明確さのため、いくつかの構成部品を省略した、図１２の履物の上面斜視図を示す。
【図１４】明確さのため、いくつかの構成部品を省略した、図１２の履物の別の平面図を示す。
【図１５】図１４の履物の拡大詳細図を示す。
【図１６】図１４のＡ−Ａ平面に沿った、図１２の履物の断面図を示す。
【図１７】図１５のＡ−Ａ平面に沿った、図１２の履物の断面図を示す。
【図１８】図１４の図に類似しているが、その構成が異なる、図１２の履物の断面図を示す。
【図１９】図１６の図に類似しているが、その構成が異なる、図１２の履物の平面図を示す。
【図２０】図１２の履物の部分側断面図を示す。
【図２１】図２０の図に類似しているが、その構成が異なる、図１２の履物の部分側断面図を示す。
【図１】
2008534042.tif 000003
【図２】
2008534042.tif 000004
【図３】
2008534042.tif 000005
【図４】
2008534042.tif 000006
【図５】
2008534042.tif 000007
【図６】
2008534042.tif 000008
【図７】
2008534042.tif 000009
【図８】
2008534042.tif 000010
【図９】
2008534042.tif 000011
【図１０】
2008534042.tif 000012
【図１１】
2008534042.tif 000013
【図１２】
2008534042.tif 000014
【図１３】
2008534042.tif 000015
【図１４】
2008534042.tif 000016
【図１５】
2008534042.tif 000017
【図１６】
2008534042.tif 000018
【図１７】
2008534042.tif 000019
【図１８】
2008534042.tif 000020
【図１９】
2008534042.tif 000021
【図２０】
2008534042.tif 000022
【図２１】
2008534042.tif 000023
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
履物のフィッティングを調整するための装置において、
足の靴底の形状を少なくとも部分的に複製している中敷と、
前記中敷に摺動可能に結合されており、履物のつま革に結合可能で、足の靴底の形状を複製している前記中敷の周辺部の少なくとも１周分に相当する長さのある、伸張けん引部材と、
前述の中敷に対する外側位置を調整するため、前記けん引部材の張りの度合いを調整するための、後者の張りの度合いを変える傾向がある調整手段と、
前記けん引部材を前記つま革とともに摺動可能に収容する傾向のある座部と、
を備えている装置。
【請求項２】
請求項１に記載の装置において、前記中敷が、上部層、底部層、及び前記上部層および底部層との間に挿入されているスペーサとを備えた装置。
【請求項３】
請求項２に記載の装置において、前記けん引部材が前記スペーサへと摺動可能に結合される装置。
【請求項４】
請求項２に記載の装置において、前記座部の範囲を規定するため、前記スペーサの中心に、前記上部層及び底部層より狭い幅を、なんらかの方法で備えた装置。
【請求項５】
請求項１に記載の装置において、前記けん引部材が複数の支持部材へと拘束されている装置。
【請求項６】
請求項５に記載の装置において、前記支持部材が前記けん引部材を受けるための座部を備えている装置。
【請求項７】
請求項６に記載の装置において、前記部材の前記座部が基本的に長手方向の溝の形式をとっている装置。
【請求項８】
請求項５に記載の装置において、前記支持部材が、前記けん引部材を受ける傾向がある貫通した座部を備えた、環状または管状の構成となっている装置。
【請求項９】
請求項１に記載の装置において、前記調整手段に、履き手が履物の外部から動作可能な、少なくとも１つのねじ付き部材が備えられている装置。
【請求項１０】
フィッティングを調整可能な装置を有する履物において、前記の装置が、
足の靴底の形状を少なくとも部分的に複製している中敷と、
前記中敷に摺動可能に結合されており、履物のつま革に結合可能で、足の靴底の形状を複製している前記中敷の周辺部の少なくとも１周分に相当する長さのある、伸張けん引部材と、
前述の中敷に対する外側位置を調整するため、前記けん引部材の張りの度合いを調整するための、後者の張りの度合いを変える傾向がある調整手段と、
前記けん引部材を前記つま革とともに摺動可能に収容する傾向のある座部と、
を備えている履物。
【請求項１１】
請求項１０に記載の履物において、互いに対して互いに移動可能な第１の部分と第２の部分とを同様に有するつま革を備えた履物。
【請求項１２】
請求項１１に記載の履物において、つま革の前記部分のうち１つが前記摺動ヒールと一体化して移動可能な履物。
【請求項１３】
請求項１１に記載の履物において、つま革の前記部分のうち１つが前記けん引部材と一体化して移動可能な履物。
【請求項１４】
請求項１１に記載の履物において、つま革の前記部分のうち１つが前記中敷に固定され、また前記けん引部材に部分的に巻き付けられている履物。
【請求項１５】
請求項１１に記載の履物において、つま革の前記の第１部分及び第２部分が互いに対して摺動可能な履物。
【請求項１６】
請求項１５に記載の履物において、つま革の前記の第１部分及び第２部分のうち一方が、前記部分の他方の少なくとも一部がその内部において摺動可能に受けられているハウジングの範囲を規定する履物。
【国際調査報告】
2008534042.tif 000024
2008534042.tif 000025
2008534042.tif 000026
2008534042.tif 000027
2008534042.tif 000028